(57)【要約】【課題】受信信号の電波強度が弱い場合、端末局が移動中の場合または外乱などによっても的確に元のデータの再生ができるデジタル変調信号受信装置を提供することを目的とするものである。【解決手段】電波を受信するアンテナ１と、このアンテナ１より受信した電波を検波する検波回路２と、判別用時間幅を有する信号を用いて検波回路２からの出力信号をデジタルデータに再生する再生回路３と、この再生回路３からのデジタルデータと原デジタルデータとを比較し、比較結果を出力する比較回路４と、再生回路３に少なくとも２つの判別用時間幅を有する信号と比較回路４に原デジタルデータを出力する制御回路５とからなるデジタル変調信号受信装置であり、時間幅の大きい変動の受信信号でも的確に元のデータに再生することができる。【選択図】  図１
2005039355.tif 000002
【特許請求の範囲】
【請求項１】
原デジタルデータの高レベルと低レベルの時間幅を変えて符号化し、振幅変調した電波として送信部から送出し、この送出した電波を受信するアンテナと、このアンテナより受信した電波を検波する検波回路と、判別用時間幅を有する信号を用いて前記検波回路からの出力信号をデジタルデータに再生する再生回路と、この再生回路からのデジタルデータと前記原デジタルデータとを比較し、比較結果を出力する比較回路と、前記再生回路に判別用時間幅を有する信号と前記比較回路に原デジタルデータを出力する制御回路とからなるデジタル変調信号受信装置。
【請求項２】
判別用時間幅をデジタルデータの高レベルおよび低レベルの符号化した合計時間幅の１／２より長くした時間幅と合計時間幅の１／２より短くした時間幅とした請求項１に記載のデジタル変調信号受信装置。
【請求項３】
再生回路において、検波回路からの高レベルに対応する時間幅と合計時間幅の１／２より短くした時間幅と比較して、高レベルに対応する時間幅が長い場合は“１”、短い場合は“０”に設定し、前記検波回路からの低レベルに対応する時間幅と合計時間幅の１／２より長くした時間幅と比較して、低レベルに対応する時間幅が短い場合は“０”、長い場合は“１”に設定し、デジタルデータを再生する請求項２に記載のデジタル変調信号受信装置。
【請求項４】
比較回路に設定するデジタルデータのデータ長および値が可変できるようにした請求項１に記載のデジタル変調信号受信装置。
【請求項５】
比較回路からの出力信号により再生回路からのデジタルデータを出力制御するスイッチ部を設け、制御回路から前記比較回路およびスイッチ部とにリセット信号を出力するように接続した請求項１に記載のデジタル変調信号受信装置。
【発明の詳細な説明】
【０００１】
【発明の属する技術分野】
本発明は、データ通信に使用されるデジタル変調信号受信装置に関するものである。
【０００２】
【従来の技術】
近年、自動車の乗降の利便性の向上、さらには盗難防止機能の向上のため自動車用キーレスエントリーシステムが復及しつつあり、キーレスエントリーシステムにおいては、自動車のドアの解錠時やエンジン始動時に、車輌に搭載された基地局と自動車の使用者が携帯している端末局との間で電波を用いた通信が行われる。
【０００３】
この通信においてはＡＳＫ（Ａｍｐｌｉｔｕｄｅ  Ｓｈｉｆｔ  Ｋｅｙｉｎｇ）、ＰＳＫ（Ｐｈａｓｅ  Ｓｈｉｆｔ  Ｋｅｙｉｎｇ）、ＦＳＫ（Ｆｒｅｑｕｅｎｃｙ  Ｓｈｉｆｔ  Ｋｅｙｉｎｇ）といった各種デジタル変調方式が採用されている。
【０００４】
従来のデジタル変調信号受信装置としては、図５に示すものがある。図５は従来のデジタル変調信号受信装置を示す概略ブロック図である。図５に示すように、受信機２２は受信アンテナ３０、受信回路（復調回路）３１、照合判定部３２、固有コードを格納された記憶装置３３、出力回路３４を備えている。
【０００５】
受信機２２は送信機から空間に放射された通信コードを受信アンテナ３０で受信すると、受信回路３１において受信した通信コードを元のコードに復元する。そして、照合判定部３２は記憶装置３３から固有コードを読み出し、復調された通信コードに含まれる固有コードと記憶装置３３から読み出した固有コードとを比較照合し、固有コードどうしが一致したと判定すると、指令コードの内容に応じて施錠用制御信号または解錠用制御信号を出力回路３４からドアロック装置のアクチュエータへ出力し、アクチュエータを駆動して車輌のドアを施錠または解錠する。ここで受信回路３１は電圧変換回路３６と、トランジスタ３７ａおよび抵抗３７ｂ，３７ｃからなるスイッチング回路３７とを介してバッテリー３５に接続されている。バッテリー３５は電圧変換回路３６によって所定電圧に降圧されて受信回路３１に印加されており、スイッチング回路３７をオンオフ制御することにより、受信回路３１に接続されたり切り離されたりするようになっている。
【０００６】
なお、この出願の発明に関連する先行技術文献情報としては、例えば、特許文献１が知られている。
【０００７】
【特許文献１】
特開平１０−３３６７６０号公報
【０００８】
【発明が解決しようとする課題】
しかしながら、従来のデジタル変調信号受信装置においては、受信信号の電波強度が弱い場合、端末局が移動中の場合または外乱などにより本来のデータが受信できず、また基地局として応答できなくなる場合があった。
【０００９】
本発明は受信信号の電波強度が弱い場合、端末局が移動中の場合または外乱などによっても的確に元のデータの再生ができるデジタル変調信号受信装置を提供することを目的とするものである。
【００１０】
【課題を解決するための手段】
上記目的を達成するために、本発明は以下の構成を有するものである。
【００１１】
本発明の請求項１に記載の発明は、原デジタルデータの高レベルと低レベルの時間幅を変えて符号化し、振幅変調した電波として送信部から送出し、この送出した電波を受信するアンテナと、このアンテナより受信した電波を検波する検波回路と、判別用時間幅を有する信号を用いて前記検波回路からの出力信号をデジタルデータに再生する再生回路と、この再生回路からのデジタルデータと前記原デジタルデータとを比較し、比較結果を出力する比較回路と、前記再生回路に少なくとも２つの判別用時間幅を有する信号と前記比較回路に原デジタルデータを出力する制御回路とからなるデジタル変調信号受信装置であり、時間幅の大きい変動の受信信号でも的確に元のデータに再生することができる。
【００１２】
請求項２に記載の発明は、判別用時間幅をデジタルデータの高レベルおよび低レベルの符号化した合計時間幅の１／２より長くした時間幅と、合計時間幅の１／２より短くした時間幅とした請求項１に記載のデジタル変調信号受信装置であり、時間幅の大きい変動の受信信号でも的確に元のデータに再生することができる。
【００１３】
請求項３に記載の発明は、再生回路において、検波回路からの高レベルに対応する時間幅と、合計時間幅の１／２より短くした時間幅と比較して、高レベルに対応する時間幅が長い場合は“１”、短い場合は“０”に設定し、前記検波回路からの低レベルに対応する時間幅と、合計時間幅の１／２より長くした時間幅と比較して、低レベルに対応する時間幅が短い場合は“０”、長い場合は“１”に設定し、デジタルデータを再生する請求項２に記載のデジタル変調信号受信装置であり、時間幅の大きい変動の受信信号でも的確に元のデータに再生することができる。
【００１４】
請求項４に記載の発明は、比較回路に設定するデジタルデータのデータ長および値が可変できるようにした請求項１に記載のデジタル変調信号受信装置であり、多様化に対応することができる。
【００１５】
請求項５に記載の発明は、比較回路からの出力信号により再生回路からのデジタルデータを出力制御するスイッチ部を設け、制御回路から前記比較回路およびスイッチ部とにリセット信号を出力するように接続した請求項１に記載のデジタル変調信号受信装置であり、時間幅の大きい変動の受信信号でもより的確に元のデータに再生することができる。
【００１６】
【発明の実施の形態】
以下、本発明の実施の形態におけるデジタル変調信号受信装置について、図を用いて説明する。
【００１７】
（実施の形態１）
図１は本発明のデジタル変調信号受信装置の構成を示すブロック図である。図１に示すように、例えば送信装置（図示せず）からの振幅変調された電波をアンテナ１で受信し、この受信した信号は検波回路２に出力される。そして検波回路２はアンテナ１からの信号を検波して再生回路３に出力され、判別用時間幅と比較されてデジタルデータが再生される。そして、この再生されたデジタルデータは比較回路４に出力され、送信部の原デジタルデータと照合され、その照合結果が出力される。また制御回路５から再生回路３に判別用時間幅、比較回路４に原デジタルデータが出力される構成となっている。
【００１８】
以下、本発明のデジタル変調信号受信装置の動作について、図２を用いて説明する。
【００１９】
図２（ａ）〜（ｉ）は本発明のデジタル変調信号受信装置内の各ブロックにおける信号を示す模式図である。図２（ａ）に示すように、送信部において、デジタルデータ“１０１００１”の“１”をＨＨＬ、“０”をＨＬに符号化し、この符号化された信号を図２（ｂ）に示すように、ＡＳＫ変調して電波として出射される。
【００２０】
そして、図２（ｃ）に示すように、送信部より出射された信号は受信部のアンテナ１により受信され、検波回路２により図２（ｄ）に示すように、検波され、所定の基準レベルＲ１と比較して図２（ｅ）に示すように、矩形波に波形成形される。そして再生回路３において、この波形成形された信号の“ＨＨＬ”と“ＨＬ”と図２（ｆ）に示すように、制御回路５から入力される図２（ａ）に示す“ＨＨＬ”と“ＨＬ”とを合計して１／２より短くした判別用時間幅Ｔ１と１／２より長くした判別用時間幅Ｔ２とを比較する。
【００２１】
動作としては、検波回路２からの高レベルに対応する時間幅と判別用時間幅Ｔ１と比較して、高レベルに対応する時間幅が長い場合は“１”、短い場合は“０”に設定し、検波回路２からの低レベルに対応する時間幅と判別用時間幅Ｔ２と比較して、低レベルに対応する時間幅が短い場合は“０”、長い場合は“０”に設定し、図２（ｇ）に示すように、デジタルデータ“１０１００１”が再生される。そして再生されたデジタルデータと制御回路５から入力される原デジタルデータとを照合し、この照合結果が比較回路５から出力される。
【００２２】
ここで、例えば図２（ｈ）に示すように、従来の１つの判別用時間幅Ｔ３と図２（ｅ）に示す波形成形された信号とを比較し、再生されるデジタルデータは図２（ｉ）に示すように“１０１００１”と異なる“１０００００”となり、誤りを生じてしまう。
【００２３】
以上の構成により、外乱などの雑音により受信信号に乱れが生じても誤りなく正確に原デジタルデータを再生することができる。
【００２４】
（実施の形態２）
図３は本発明のデジタル変調信号受信装置の構成を示すブロック図、図４は本発明のデジタル変調信号受信装置内のタイミングを示す説明図である。
【００２５】
図３に示すように、アンテナ１で受信した信号は検波回路２に出力される。そして検波回路２はアンテナ１からの信号を検波して再生回路３に出力され、判別用時間幅と比較されてデジタルデータが再生される。そしてこの再生されたデジタルデータは比較回路４に出力され、送信部の原デジタルデータと照合され、その照合結果がスイッチ部６に出力される。スイッチ部６はこの照合結果が正しければ検波回路２で検波された信号が入力され、このスイッチ部６を介して出力される。しかし、照合結果が誤っている場合は検波された信号はスイッチ部６から出力されない。そして制御回路５から再生回路３に判別用時間幅、比較回路４に原デジタルデータが出力され、また、比較回路４およびスイッチ部６にリセット信号を出力して初期化する構成となっている。
【００２６】
以下、実施の形態１と異なるリセット信号およびスイッチ部の動作について、図４を用いて説明する。
【００２７】
図４（ａ）に示すように、制御回路５から比較回路４およびスイッチ部６にリセット信号が入力され、比較回路４およびスイッチ部６は初期化を実行する。待機状態となる。そして実施の形態１で説明した一連の動作を行い、再生回路３からのデジタルデータとしてのウエイクパターン７が比較回路４に入力され、この再生回路３からのウエイクパターン７と制御回路５から入力される原ウエイクパターンとが照合され、その照合結果が一致すれば、比較回路４からスイッチ部６に一致信号として“Ｈ”の信号を入力する。そしてスイッチ部６は検波回路２からの検波信号としてのコマンドおよびデータ８を出力する。しかし照合結果が不一致の場合は、スイッチ部６は検波回路２からの検波信号としてのコマンドおよびデータ８を出力しない。
【００２８】
以上の構成により、外乱などの雑音により受信信号に乱れが生じても、誤りなく正確に原デジタルデータを再生することができると共に、誤ったデジタルデータを後段の回路に出力することが防止できる。
【００２９】
【発明の効果】
以上のように本発明によれば、原デジタルデータの高レベルと低レベルの時間幅を変えて符号化し、振幅変調した電波として送信部から送出し、この送出した電波を受信するアンテナと、このアンテナより受信した電波を検波する検波回路と、判別用時間幅を有する信号を用いて前記検波回路からの出力信号をデジタルデータに再生する再生回路と、この再生回路からのデジタルデータと前記原デジタルデータとを比較し、この比較結果を出力する比較回路と、前記再生回路に少なくとも２つの判別用時間幅を有する信号と、前記比較回路に原デジタルデータを出力する制御回路とからなるデジタル変調信号受信装置であり、時間幅の大きい変動の受信信号でも的確に元のデータに再生することができる。
【図面の簡単な説明】
【図１】本発明のデジタル変調信号受信装置の構成を示すブロック図
【図２】（ａ）〜（ｉ）は本発明のデジタル変調信号受信装置内の各ブロックにおける信号を示す模式図
【図３】本発明のデジタル変調信号受信装置の構成を示すブロック図
【図４】（ａ）〜（ｄ）は本発明のデジタル変調信号受信装置内のタイミングを示す説明図
【図５】従来のデジタル変調信号受信装置を示す概略ブロック図
【符号の説明】
１  アンテナ
２  検波回路
３  再生回路
４  比較回路
５  制御回路
６  スイッチ部
７  ウエイクパターン
８  コマンドおよびデータ
Ｒ１  基準レベル
Ｔ１  判別用時間幅
Ｔ２  判別用時間幅
Ｔ３  判別用時間幅
【図１】
2005039355.tif 000003
【図２】
2005039355.tif 000004
【図３】
2005039355.tif 000005
【図４】
2005039355.tif 000006
【図５】
2005039355.tif 000007